(57)【要約】【課題】操作性に優れた横型の投函物受け箱を提供する。【解決手段】投函物を投函するための投函口２及び投函物を取り出すための取出口３が開口形成され、投函口２から投函した投函物を収容するボックス本体１と、ボックス本体１に横方向の延びる回動軸周りに回動自在に接続し、投函口２及び／又は取出口３を開閉するように設けられた開閉扉５とを備える横型の投函物受け箱Ａであって、開閉扉５で投函口２及び／又は取出口３を閉じた状態で、開閉扉５を係止して保持する開閉機構６を備え、開閉扉５の係止状態を解除するための開閉機構６の操作部３２をボックス本体１の側部１ｃに設け、該操作部３２を操作するとともに自動的に開閉扉５が開動するように構成する。【選択図】図２
2017127426.tif 000002
【特許請求の範囲】
【請求項１】
投函物を投函するための投函口及び前記投函物を取り出すための取出口が開口形成され、前記投函口から投函した前記投函物を収容するボックス本体と、前記投函物受け箱の幅方向に延びる回動軸周りに回動自在に前記ボックス本体の下端部側に接続し、前記投函口及び／又は前記取出口を前倒し式で開閉するように設けられた開閉扉とを備える横型の投函物受け箱であって、
前記開閉扉で前記投函口及び／又は前記取出口を閉じた状態で、前記開閉扉を係止して保持する開閉機構を備え、
且つ前記開閉扉の係止状態を解除するための前記開閉機構の操作部が前記ボックス本体の側部に設けられ、該操作部を操作するとともに前記開閉扉が自重によって自動的に開動するように構成されていることを特徴とする投函物受け箱。
【請求項２】
請求項１記載の投函物受け箱において、
前記開閉扉が、下端部側を前記回動軸と介して前記ボックス本体に回動自在に接続される扉本体部と、前記扉本体部よりも大重量で板状に形成され、前記扉本体部の前面側に接続して設けられて前記投函物受け箱の表面を形成する面材部とを備えている投函物受け箱。
【請求項３】
請求項２記載の投函物受け箱において、
前記面材部が前記扉本体部に着脱可能に取り付けられている投函物受け箱。
【請求項４】
請求項１または請求項３に記載の投函物受け箱において、
前記扉本体部が、前記回動軸を介して前記ボックス本体に回動自在に接続される回動板部と、前記回動板部及び前記面材部よりも表面及び裏面の面積を小にして形成され、前記回動板部と前記面材の間に配設される延出部とを備えて形成されている投函物受け箱。
【請求項５】
請求項１から請求項４のいずれか一項に記載の投函物受け箱において、
前記操作部を操作するとともに前記ボックス本体の内部に光を照射する照明装置が前記操作部に一体に設けられている投函物受け箱。
【請求項６】
請求項１から請求項５のいずれか一項に記載の投函物受け箱において、
前記開閉機構が、前記ボックス本体に回動自在に設けられた係止部材と、前記開閉扉に設けられ、前記係止部材が係合し前記開閉扉を閉じた状態で保持するための係止受け部材と、前記係止部材と前記係合受け部材の係合状態を解除するための解錠機構とを備え、
前記解錠機構が、前記操作部と、該操作部の操作によって電流が流れて磁界を発生するコイル、及び該コイルで発生した磁界によって移動し、該移動に応じて前記係止部材を回動させる芯材からなるソレノイド機構とを備えて構成されている投函物受け箱。
【発明の詳細な説明】
【技術分野】
【０００１】
本発明は、ポストなどの投函物受け箱に関する。
【背景技術】
【０００２】
マンションや一般住宅などに設けられる投函物受け箱は、例えば、郵便物などの投函物を投函する投函口、投函物を取り出す取出口の開口を備えたボックス本体（投函箱）と、取出口、投函口などを開閉する開閉扉とを備えて構成したものがある。
【０００３】
また、取出口（や投函口）を開閉する開閉扉を横方向に延びる回動軸周りに回動するように設け、開閉扉を上下方向に動かして前倒しするように構成した横型の投函物受け箱（例えば、特許文献１、特許文献２参照）がある。
【先行技術文献】
【特許文献】
【０００４】
【特許文献１】特開２００８−２６４３７０号公報
【特許文献２】特開２００９−１７２２４９号公報
【発明の概要】
【発明が解決しようとする課題】
【０００５】
ここで、開閉扉を前倒しするように構成した横型の投函物受け箱は、例えば、取出口と投函口、特に取出口を開閉する開閉扉を手で開いて投函物を取り出すように構成されている。
【０００６】
このため、取出口を開く際に片方の手を使い、他方の手で投函物を取り出すことになり、開閉扉の開閉、投函物の取り出しを行う一連の操作性が悪く、この点で改善の余地が残されていた。
【０００７】
本発明は、上記事情に鑑み、操作性に優れた横型の投函物受け箱を提供することを目的とする。
【課題を解決するための手段】
【０００８】
上記の目的を達するために、この発明は以下の手段を提供している。
【０００９】
本発明の投函物受け箱は、投函物を投函するための投函口及び前記投函物を取り出すための取出口が開口形成され、前記投函口から投函した前記投函物を収容するボックス本体と、前記投函物受け箱の幅方向に延びる回動軸周りに回動自在に前記ボックス本体の下端部側に接続し、前記投函口及び／又は前記取出口を前倒し式で開閉するように設けられた開閉扉とを備える横型の投函物受け箱であって、前記開閉扉で前記投函口及び／又は前記取出口を閉じた状態で、前記開閉扉を係止して保持する開閉機構を備え、且つ前記開閉扉の係止状態を解除するための前記開閉機構の操作部が前記ボックス本体の側部に設けられ、該操作部を操作するとともに前記開閉扉が自重によって自動的に開動するように構成されていることを特徴とする。
【００１０】
また、本発明の投函物受け箱においては、前記開閉扉が、下端部側を前記回動軸と介して前記ボックス本体に回動自在に接続される扉本体部と、前記扉本体部よりも大重量で板状に形成され、前記扉本体部の前面側に接続して設けられて前記投函物受け箱の表面を形成する面材部とを備えていることが望ましい。
【００１１】
さらに、本発明の投函物受け箱においては、前記面材部が前記扉本体部に着脱可能に取り付けられていることがより望ましい。
【００１２】
また、本発明の投函物受け箱においては、前記扉本体部が、前記回動軸を介して前記ボックス本体に回動自在に接続される回動板部と、前記回動板部及び前記面材部よりも表面及び裏面の面積を小にして形成され、前記回動板部と前記面材の間に配設される延出部とを備えて形成されていることがさらに望ましい。
【００１３】
さらに、本発明の投函物受け箱においては、前記操作部を操作するとともに前記ボックス本体の内部に光を照射する照明装置が前記操作部に一体に設けられていることがより望ましい。
【００１４】
また、本発明の投函物受け箱においては、前記開閉機構が、前記ボックス本体に回動自在に設けられた係止部材と、前記開閉扉に設けられ、前記係止部材が係合し前記開閉扉を閉じた状態で保持するための係止受け部材と、前記係止部材と前記係合受け部材の係合状態を解除するための解錠機構とを備え、前記解錠機構が、前記操作部と、該操作部の操作によって電流が流れて磁界を発生するコイル、及び該コイルで発生した磁界によって移動し、該移動に応じて前記係止部材を回動させる芯材からなるソレノイド機構とを備えて構成されていることが望ましい。
【発明の効果】
【００１５】
本発明の投函物受け箱においては、ボックス本体の側部に設けられた操作部を使用者が片手で操作するだけで、自動的に開閉扉を作動させて取出口（及び／又は投函口）を開くことができる。よって、従来と比較し、大幅に操作性、利便性を向上させることが可能になる。
【００１６】
また、開閉扉を開閉するための操作部がボックス本体の側部に設けられていることで、開閉扉の前面に設けられた従来の投函物受け箱と比較し、見栄えをよくすることができる。
【図面の簡単な説明】
【００１７】
【図１】本発明の一実施形態に係る投函物受け箱を示す斜視図である。
【図２】本発明の一実施形態に係る投函物受け箱を示す斜視図であり、投函口、取出口を開いた状態を示す斜視図である。
【図３】本発明の一実施形態に係る投函物受け箱を示す斜視図であり、投函口、取出口を開いた状態を示す側面図である。
【図４】本発明の一実施形態に係る投函物受け箱の開閉機構を示す図である。
【図５】本発明の一実施形態に係る投函物受け箱の開閉機構を示す図である。
【図６】本発明の一実施形態に係る投函物受け箱の開閉機構の係合受け部材を示す図である。
【図７】本発明の一実施形態に係る投函物受け箱の開閉機構の解錠機構の配線図である。
【図８】本発明の一実施形態に係る投函物受け箱の開閉機構の操作部を示す正面図である。
【図９】本発明の一実施形態に係る投函物受け箱の開閉機構の操作部を示す側面図である。
【図１０】本発明の一実施形態に係る投函物受け箱の変更例を示す斜視図である。
【図１１】本発明の一実施形態に係る投函物受け箱の変更例を示す斜視図であり、投函口、取出口を開いた状態を示す斜視図である。
【図１２】本発明の一実施形態に係る投函物受け箱の開閉機構の変更例を示す図である。
【図１３】本発明の一実施形態に係る投函物受け箱の開閉機構の変更例を示す図である。
【発明を実施するための形態】
【００１８】
以下、図１から図１３を参照し、本発明の一実施形態に係る投函物受け箱について説明する。
【００１９】
本実施形態の投函物受け箱Ａは、図１から図３に示すように、例えば横型のポストであり、矩形箱状に形成され、上面１ａに投函口２、前面１ｂに取出口３がそれぞれ開口形成されたボックス本体（投函箱）１と、ボックス本体１の上面１ａ側に回動自在に取り付けられて投函口２を開閉する蓋扉（投函口用開閉扉）４と、ボックス本体１の前面１ｂ側に回動自在に取り付けられて取出口３を開閉する取出口用開閉扉５と、取出口用開閉扉５を開閉するための開閉機構６とを備えて構成されている。
【００２０】
投函口２は、ボックス本体１の天板部の上面から内面に貫通し、投函物受け箱Ａの幅方向Ｔ１に延びる長孔状に形成されている。また、投函口２の外周に沿い、投函口２を囲繞するようにしてボックス本体１の上面１ａから上方に突出する投函口枠部７が設けられている。投函口枠部７は、その上端部が投函物受け箱Ａの奥行方向Ｔ２後方から前方に向かうに従い下方に配されるように傾斜して形成されている。
【００２１】
投函口用開閉扉である蓋扉４は、ボックス本体１の上面１ａと略同等の平面積を備えた略矩形板状に形成され、長手方向を投函物受け箱Ａの幅方向Ｔ１に向け、その後端側の両側部側をボックス本体１に設けられた幅方向Ｔ１に延びる回動軸に接続して設けられている。これにより、蓋扉４は回動軸周りの上下方向Ｔ３に回動自在に設けられている。
【００２２】
また、投函口２を閉じてボックス本体１の上部に当接支持された状態で投函物受け箱Ａの前面１ｂ側に配される端部を手で押し上げ、回動軸周りに回動させることによって投函口２を開くように構成されている。ボックス本体１の天板部には、ダンパー８が設けられており、開いた状態で手を離し、蓋扉４が回動軸周りに回動して投函口２を閉じるように落下すると、ダンパー８によってその閉動速度が調節され、ゆっくりと回動して閉じるように構成されている。
【００２３】
一方、取出口用開閉扉５は、ボックス本体１の底部側の前面側に設けられて幅方向Ｔ１に延びる回動軸に下端部側を接続し、回動軸の回動軸線周りに回動することによって取出口３を開閉するように設けられている。すなわち、本実施形態の取出口用開閉扉５は、下端部側の回動軸周りに回動する前倒し式の開閉扉とされている。
【００２４】
さらに、本実施形態の取出口用開閉扉５は、下端部側を回動軸に接続して回動自在に設けられた平面視略方形状の扉本体部１０と、扉本体部１０の前面に着脱可能に取り付けられて投函物受け箱Ａの前面（表面）を形成する方形平板状の面材部１１とを備えて構成されている。
【００２５】
面材部１１は、取出口用開閉扉５の重心が回動軸から前方に離間して偏心するように扉本体部１０の重量よりも大きな重量を備えて形成されている。
【００２６】
扉本体部１０は、回動軸を介してボックス本体１に回動自在に接続される回動板部１０ａと、回動板部１０ａ及び面材部１１よりも表面及び裏面の面積を小にして形成され、回動板部１０ａと面材部１１の間に配設される延出部１０ｂとを備えて形成されている。
【００２７】
延出部１０ｂは、その上面１０ｃが例えば幅方向Ｔ１中央から幅方向Ｔ１両側部側に向かうに従い下方に傾斜し、投函物受け箱Ａの側部側に流れ、延出部１０ｂの上面１０ｃに雨水等が溜まらないように形成されている。
【００２８】
このように構成した取出口用開閉扉５は、取出口３を閉じた状態で開閉機構６による係止状態が解除されると、重心が前方に偏心しているため、自重によって自動的に回動軸周りに回動し、取出口３を開く。
【００２９】
また、ボックス本体１の底部にダンパー１２が設けられ、このダンパー１２によって取出口用開閉扉５が開動する際にその開動速度が調節され、急激に開くことが防止されている。
【００３０】
次に、開閉機構６は、図２から図７に示すように、取出口用開閉扉５を係止して保持する（施錠する）ための施錠機構２０と、取出口用開閉扉５の係止状態を解除する（解錠するため）の解錠機構３０とを備えている。
【００３１】
施錠機構２０は、ボックス本体１の上端部側の幅方向Ｔ１略中央に、上下方向Ｔ３に延びる回転軸に後端部側を回転可能に軸支して設けられ、ボックス本体１の前面１ｂから前方に突出し、その突出方向先端側に鉤状部２１ａを有するラッチ（係止部材）２１と、取出口用開閉扉５の扉本体部１０の上端部側の幅方向Ｔ１略中央に設けられ、取出口用開閉扉５を閉じるともにラッチ２１に係合して取出口用開閉扉５を閉じた状態で保持するためのラッチ受け（係合受け部材）２２と、ラッチ２１、ひいては回転軸を軸線周りの一方向に回動させるように付勢するバネ部材（弾性部材）２３とを備えている。
【００３２】
また、ラッチ２１の鉤状部２１ａの先端側には、先端から後端側に向かうに従い漸次外側に離れるように傾斜する当接面２１ｂが設けられている。これにより、取出口用開閉扉５の閉動作時にラッチ受け２２が当接面２１ｂに当接すると、ラッチ２１が他方向に回転し、完全に取出口用開閉扉５が閉じるとともに当接状態が解除され、自動的にラッチ２１とラッチ受け２２を係合させることができる。
【００３３】
解錠機構３０は、ソレノイド機構３１と、ソレノイド機構３１を駆動させるための操作部３２とを備えている。
【００３４】
ソレノイド機構３１は、電流を流すことにより磁界を発生するコイルと、コイルで発生した磁界によって前後方向に移動する芯材（鉄芯）３１ａとを備えている。
【００３５】
また、ソレノイド機構３１は、ボックス本体１の上端部の略中央に一体に設けられるとともに、芯材３２ａの先端側をラッチ２１の後端側に接続して配設されている。さらに、コイルに電流が流れていない状態では、ラッチ２１とともにバネ部材２３に付勢されて芯材３２ａがコイルに対して前方に進出した状態で保持されている。
【００３６】
ソレノイド機構３１は、電源３３から電力が供給されてコイルに電流が流れると、芯材３２ａが後方に退避し、バネ部材２３の付勢力に反してラッチ２１を回転軸周りの一方向に回動させ、ラッチ２１とラッチ受け２２の係合状態を解除するように構成されている。
【００３７】
操作部３２は、例えばタッチパネル式の操作部であり、図８、図９に示すように、複数の数字（本実施形態では「１」、「２」、「３」、「４」）を表示する暗証番号キー３５と、作動キー（作動ボタン）３６とを備えている。本実施形態の操作部３２は、図１から図５に示すように、ボックス本体１の前面１ｂ側の側面１ｃに、タッチパネル面が側面１ｃに沿うようにして取り付けられている。
【００３８】
この操作部３２は、図４、図７、図９に示すように、ボックス本体１の内面に露出する裏面側に、ＬＥＤなどの光源を備えた照明装置３７が内蔵して設けられるとともに、電池ボックス（電源３３）が配線接続して一体に設けられている。なお、操作部３２とソレノイド機構３１のコイルは、ボックス本体１に形成された配線路（配線孔）４０を通じて配線で接続されている。
【００３９】
そして、予め記憶された操作部３２の暗証番号キーが適正に操作された後、作動キー３６を操作すると、すなわち、操作部３２の解錠操作を行うと、リミットスイッチ３８によって電源３３からソレノイド機構３１のコイルに一定時間電流が流れるように構成されている。
【００４０】
また、操作部３２の解錠操作を行うと、電源３３から照明装置３７に電力が供給され、照明装置３７の光源が光り、ボックス本体１の内部を自動的に明るく照らすように構成されている。なお、タイマーを設け、必要な時間（例えば５秒間）、光を照射した後、自動的に消灯するように構成してもよい。
【００４１】
さらに、本実施形態の投函物受け箱Ａにおいては、電池が消耗し、蓄電量がある一定レベルまで減少した際に、照明装置３７の光源を点滅させるなどし、電池交換時期であることを知らせるように構成されている。なお、この照明装置３７の光が操作部３２のタッチパネル面から外部に照射されるようにし、光源の点滅などが投函物受け箱Ａの外部からでも認識できるようにしてもよい。
【００４２】
上記のように構成した本実施形態の投函物受け箱Ａに投函物を投函する際には、蓋扉４を手で押し上げて回動させ、露出した投函口２から投函物をボックス本体１内に投入する。そして、蓋扉４を離すと、自動的に蓋扉４が落下して閉動するとともにダンパー８によってゆっくりと投函口２を閉じる。
【００４３】
次に、投函物受け箱Ａ内の投函物の有無を確認したり、投函物受け箱Ａから投函物を取り出す際には、使用者が操作部３２の作動キー（電源ボタン）３６を押すとタッチパネルの暗証番号キー３５が点灯し、暗証番号キー３５を操作して適正な暗証番号を入力し、作動キー３６を操作する。
【００４４】
ここで、電池が消耗している場合には、作動キー（電源ボタン）３６を押すと、暗証番号キー３５が点滅することによって電池交換時期を知らせるようにしてもよい。また、この状態でも暗証番号キー３５を操作して解錠することができ、この解錠操作を行って取出側開閉扉５が開いた際に照明装置３７の光が必要な時間点滅するようにしてもよい。
【００４５】
この操作がなされると、操作部３２からの信号によって電源３３からソレノイド機構３１のコイルにそれぞれ電流が一定時間流れ、ソレノイド機構３１の芯材３１ａが後方に退避移動する。このソレノイド機構３１の芯材３１ａが退避すると、これとともにラッチ２１が回転軸の軸線周りの他方向に回転し、ラッチ２１と取出口用開閉扉５のラッチ受け２２との係合状態が解除される。すなわち、自動的に取出口用開閉扉５が解錠される。
【００４６】
なお、一定時間経過した段階で電源３３からコイルへの給電が停止する。給電が停止すると、バネ部材２３の付勢力によって芯材３１ａが前方に進出するとともにラッチ２１が軸線周りの一方向に回転して、これら芯材３１ａとラッチ２１がそれぞれ元の位置に戻る。
【００４７】
また、本実施形態の取出口用開閉扉５は、扉本体部１０（回動板部１０ａ、延出部１０ｂ）と面材部１１からなり、扉本体部１０の重量よりも面材部１１が大重量で、重心が前方に偏心され、且つ扉本体部１０の下端部側をボックス本体Ａの側部の底部側に回動自在に接続して設けられている。
【００４８】
このため、操作部３２を操作して取出口用開閉扉５が解錠されるとともに、その重心が前方に偏心されていることによって自動的に取出口用開閉扉５が開く。また、ボックス本体１内に設けられたダンパー１２によって取出口用開閉扉５の開動速度が調整され、ゆっくりと取出口３が開くことになる。
【００４９】
また、このとき、操作部３２を解錠操作するとともに、照明装置３７の光源が光り、ボックス本体１の内部を自動的に明るく照らされる。
【００５０】
そして、使用者は、取出口用開閉扉５が開いて開口した取出口３から投函物を取り出すことができる。
【００５１】
次に、投函物を取り出した後、使用者が取出口用開閉扉５を閉じると、取出口用開閉扉５に設けられたラッチ受け２２がラッチ２１の鉤状部２１ａの当接面２１ｂに当接し、ラッチ２１が他方向に回転する。そして、取出口用開閉扉５が完全に閉じると、ラッチ受け２２の当接状態が解除され、バネ部材２３の付勢力によってラッチ２１が一方向に回転して元に戻り、ラッチ受け２２に係合する。これにより、自動的に取出口用開閉扉５が施錠され、取出口３を閉じた状態で保持される。
【００５２】
したがって、本実施形態の投函物受け箱Ａにおいては、ボックス本体１の側部に設けられた操作部３２を使用者が片手で操作するだけで、自動的に開閉扉５を作動させて取出口３を開くことができる。
【００５３】
また、開閉扉５を開閉するための操作部３２がボックス本体１の側部に設けられていることで、開閉扉５の前面に操作部を設けた従来の投函物受け箱と比較し、見栄えをよくすることができる。
【００５４】
さらに、操作部３２の解錠操作を行うとともに、照明装置３７の光源が光り、ボックス本体１の内部を自動的に明るく照らすことができる。また、タイマーを設けることによって、必要な時間、光を照射した後、自動的に消灯させることができる。
【００５５】
さらに、電池が消耗し、蓄電量がある一定レベルまで減少した際に、照明装置３７の光源を点滅させるなどして電池の電力不足を知らせることができる。
【００５６】
操作部３２を取出口用開閉扉５の面材部１１ではなくボックス本体１に設けるようにしたことで、面材部１１を延出部１０ｂの先端に着脱可能に取り付けることができる。そして、このように面材部１１が着脱可能とされていることにより、色が異なる面材部１１を選択的に取り付けることができ、且つ、容易に交換することができ、投函物受け箱Ａの意匠性、メンテナンス性を向上させることができる。
【００５７】
また、取出口用開閉扉５を扉本体部１０と面材部１１で構成し、さらに、扉本体部１０が、回動軸を介してボックス本体１に回動自在に接続される回動板部１０ａと、回動板部１０ａ及び面材部１１よりも表面及び裏面の面積を小にして形成され、回動板部１０ａと面材部１１の間に配設される延出部１０ｂとを備えて形成されている。このように回動板部１０ａと面材部１１の間に面積が小さい延出部１０ｂを設け、この延出部１０ｂの部位に凹部が形成されることにより、投函物受け箱Ａの見栄えをさらによくすることができる。
【００５８】
さらに、取出口用開閉扉５の重心を回動軸から離間する前方に偏心することで自動的に開動するように構成したことにより、延出部１０ｂの奥行方向Ｔ２の寸法を調整したり、ダンパー１２の性能を調整することによって、取出口用開閉扉５の開動速度を自在に且つ容易に調節することが可能になる。
【００５９】
よって、本実施形態の投函物受け箱Ａによれば、従来と比較し、大幅に操作性、利便性を向上させることが可能になる。
【００６０】
以上、本発明に係る投函物受け箱の一実施形態について説明したが、本発明は上記の一実施形態に限定されるものではなく、その趣旨を逸脱しない範囲で適宜変更可能である。
【００６１】
例えば、本実施形態では、開閉機構６の解錠機構３０がソレノイド機構３１とソレノイド機構３１を駆動させるためのタッチパネル式の操作部３２とで構成されているものとした。
【００６２】
これに対し、開閉機構６は、図１０から図１３に示すように、ダイヤル式の操作部４１と、操作部４１に一端を接続して幅方向Ｔ１に延設され、操作部４１の手動回転操作に応じて軸線周りに回転する回転軸４２と、回転軸４２に一体に取り付けられた係合部材（爪部）４３と、開閉扉５に設けられ、係合部材４３が係合する係合受け部材（受け部）４４とを備えて構成してもよい。また、カムロック機構（カムロック錠）等の施錠部４５を設け、係合部材４３と係合受け部材４４が係合した状態で回転軸４２を回転不能に保持できるようにしてもよい。この場合においても、大略本実施形態と同等の作用効果を得ることができる。
また、このようにダイヤル式の操作部４１を備える場合には、ボックス本体１の両側部にダイヤル式の操作部４１を設け、回転軸４２の両端を両方の操作部４１に接続しておくことで、使用者が左右のどちらの手でも解錠操作することができ、使い勝手がよくなる。
【００６３】
また、前入れ後ろ出し式の投函物受け箱などにおいては、投函口２及び／又は取出口３を開閉する開閉扉に本発明を適用してもよい。
【符号の説明】
【００６４】
１      ボックス本体
１ａ    上面
１ｂ    前面
１ｃ    側面
２      投函口
３      取出口
４      蓋扉（投函口用開閉扉）
５      取出口用開閉扉
６      開閉機構
７      投函口枠部
８      ダンパー
１０    扉本体部
１０ａ  回動板部
１０ｂ  延出部
１０ｃ  上面
１１    面材部
１２    ダンパー
２０    施錠機構
２１    ラッチ（係止部材）
２１ａ  鉤状部
２１ｂ  当接面
２２    ラッチ受け（係合受け部材）
２３    バネ部材（弾性部材）
３０    解錠機構
３１    ソレノイド機構
３１ａ  芯材
３２    操作部
３３    電源（電池）
３５    暗証番号キー
３６    作動キー（電源ボタン／作動ボタン）
３７    照明装置
３８    リミットスイッチ
４０    配線路
４１    操作部
４２    回転軸
４３    係合部材（爪部）
４４    係合受け部材（受け部）
４５    施錠部
Ａ      投函物受け箱
Ｔ１    幅方向
Ｔ２    奥行方向
Ｔ３    上下方向
【図１】
2017127426.tif 000003
【図２】
2017127426.tif 000004
【図３】
2017127426.tif 000005
【図４】
2017127426.tif 000006
【図５】
2017127426.tif 000007
【図６】
2017127426.tif 000008
【図７】
2017127426.tif 000009
【図８】
2017127426.tif 000010
【図９】
2017127426.tif 000011
【図１０】
2017127426.tif 000012
【図１１】
2017127426.tif 000013
【図１２】
2017127426.tif 000014
【図１３】
2017127426.tif 000015